(57)【要約】【課題】  寒冷時に水が凍結して弁装置が作動しなくなることを防止した凍結防止用弁装置、および既設の洗浄装置等に簡単に装着して自動の凍結防止手段付きの弁装置とすることができる凍結防止器具を提供する。【解決手段】  通水圧が常時作用する１次室１８と、水の吐出時にのみ水圧が作用する２次室２０とを備えたバルブ本体１２に、前記１次室１８に連通する１次側連通流路１８ａの流路端と、前記２次室２０に連通する２次側連通流路２０ａの流路端とが内端面に開口するスリーブ３２が設けられ、該スリーブ３２内に、気温の変化に応じて開閉弁し前記１次側連通流路１８ａと２次側連通流路２０ａとを連通・遮断する自動不凍コマ４０が装着され、前記１次室１８から前記２次室２０へ凍結防止用の通水を可能としたことを特徴とする。【選択図】          図１
2006125062.tif 000002
【特許請求の範囲】
【請求項１】
通水圧が常時作用する１次室と、水の吐出時にのみ水圧が作用する２次室とを備えたバルブ本体に、前記１次室に連通する１次側連通流路の流路端と、前記２次室に連通する２次側連通流路の流路端とが内端面に開口するスリーブが設けられ、
該スリーブ内に、気温の変化に応じて開閉弁し、前記１次側連通流路と２次側連通流路とを連通・遮断する自動不凍コマが装着され、前記１次室から前記２次室へ凍結防止用の通水を可能としたことを特徴とする凍結防止用弁装置。
【請求項２】
前記スリーブ内の内端側に、前記１次側連通流路と２次側連通流路とを水密に遮断するアダプターが装着され、
該アダプターに、嵌合部が設けられた自動不凍コマが、該アダブターと該嵌合部とが組み合わされて嵌合することにより、前記自動不凍コマに設けられた弁部を経由して前記１次側連通流路と前記２次側連通流路とを連通させる流路が形成されて装着されていることを特徴とする請求項１記載の凍結防止用弁装置。
【請求項３】
前記嵌合部が、自動不凍コマに設けられた弁体を囲むように設けられたリング状のスペーサと、スペーサの前端面に固定された接続部材とからなり、
該接続部材には前記１次側連通流路に連通する貫通孔が設けられ、該貫通孔の後端側の縁部には前記弁体が当接する弁座が設けられていることを特徴とする請求項２記載の凍結防止用弁装置。
【請求項４】
前記自動不凍コマが、ワックスエレメントからなる温度感知部を備えているものであることを特徴とする請求項１〜３のいずれか一項記載の凍結防止用弁装置。
【請求項５】
通水圧が常時作用する１次室と、水の吐出時にのみ水圧が作用する２次室とを備えたバルブ本体に、前記１次室に連通する１次側連通流路の流路端と、前記２次室に連通する２次側連通流路の流路端とが内端面に開口するスリーブが設けられ、該スリーブ内に前記１次側連通流路と前記２次側連通流路との連通を手動により調節して、前記１次室から前記２次室へ凍結防止用の通水を可能とする不凍コマが装着された凍結防止用弁装置に、前記不凍コマに換えて用いられる凍結防止器具であって、
気温の変化に応じて開閉弁し、前記１次側連通流路と２次側連通流路とを連通・遮断する自動不凍コマを備えることを特徴とする凍結防止器具。
【請求項６】
前記凍結防止用弁装置のスリーブの内端側に装着され、前記１次側連通流路と２次側連通流路とを水密に遮断するアダプターと、
該アダプターと組み合わされて前記自動不凍コマに設けられた弁部を経由して前記１次側連通流路と前記２次側連通流路とを連通させる流路が形成される嵌合部を備えた自動不凍コマと、
前記アダプターと前記嵌合部が設けられたスリーブとを組み合わせて前記スリーブに固定して装着する締め付け金具とを備えることを特徴とする請求項５記載の凍結防止器具。
【請求項７】
前記嵌合部が、自動不凍コマに設けられた弁体を囲むように設けられたリング状のスペーサと、スペーサの前端面に固定された接続部材とからなり、
該接続部材には前記１次側連通流路に連通する貫通孔が設けられ、該貫通孔の後端側の縁部には前記弁体が当接する弁座が設けられていることを特徴とする請求項６記載の凍結防止器具。
【請求項８】
前記自動不凍コマが、ワックスエレメントからなる温度感知部を備えているものであることを特徴とする請求項５〜７のいずれか一項記載の凍結防止器具。
【発明の詳細な説明】
【技術分野】
【０００１】
本発明は凍結防止用弁装置およびこれに用いる凍結防止器具に関し、より詳細には洗浄装置等に用いられる凍結防止用弁装置およびこれに用いられる凍結防止器具に関する。
【背景技術】
【０００２】
水洗トイレに用いられるフラッシュバルブは、プッシュボタンあるいはハンドルを手動操作することによって一定量の洗浄水が便器側に吐出されるように形成されている。最近は、トイレの使用状態を常時監視し、自動的にフラッシュバルブを作動させ、洗浄水を吐出させるようにする自動の洗浄装置も提供されている。
図７は、プッシュボタン式の水洗トイレに用いられるフラッシュバルブ１０の正面図を示す。フラッシュバルブ１０は弁機構が収納されたバルブ本体１２の側面に通水管（不図示）が接続され、バルブ本体１２の下部に便器に接続される吐出管１４が接続されたもので、バルブ本体１２の正面に設けられたプッシュボタン１６を押すことにより、通水管から吐出管１４へ水が吐出されるように構成されている。
【０００３】
図８に示すように、バルブ本体１２内には通水管に連通して常時、通水圧が作用する１次室１８と、排水時に水圧が作用する２次室２０とが隔壁２２により上下に分離して設けられている。１次室１８にはピストンバルブ２４が収納され、プッシュボタンを押すことによりピストンバルブ２４の弁軸２６が押動されて開弁し、連通孔２８を経由して１次室１８から２次室２０へ洗浄水が吐出する。なお、ハンドル操作によるフラッシュバルブの場合も、洗浄水が吐出する原理はまったく同様である。
【０００４】
フラッシュバルブは、このようにバルブ本体１２に収納された弁機構により１次室１８と２次室２０との間の通水を制御するように設けられたもので、１次室１８には常時、洗浄水（水道水）が溜まっている。このため、寒冷地ではこの１次室１８に溜まった洗浄水が寒冷時に凍結して、洗浄水が流れなくなったり、洗浄装置を損傷してしまったりするという問題が生じることがある。図８は、このような寒冷地用のフラッシュバルブ１０として、不凍コマ３０が取り付けられた製品の例を示す。
【０００５】
不凍コマ３０はバルブ本体１２に設けられたスリーブ３２の内周面に螺合して設けられ、スリーブ３２の内端面には１次室１８と２次室２０に各々連通する１次側連通流路１８ａと２次側連通流路２０ａの流路端が開口している。不凍コマ３０は、寒冷時にスリーブ３２の内端面から端面を若干離間させ、１次側連通流路１８ａ、スリーブ３２、２次側連通流路２０ａを介して、１次室１８から２次室２０へ僅かずつ水を流すことで凍結を防止させるように使用される。
【０００６】
この不凍コマ３０は回動による人為的開閉操作によってスリーブ３２内における進退位置を保持することにより凍結防止用の流量を確保するのであるが、そのつど不凍コマ３０を開閉することは煩雑であり、そのため、ほとんどの場合は、不凍コマ３０の開閉は行わず、閉めたままで使用されている。このため、水の流動が得られず寒冷時に不凍コマ３０による凍結防止作用が作用しないといったことが生じている。
このため、より的確にかつ簡便に洗浄装置の凍結を防止する方法として、たとえば形状記憶バネを利用し、気温が一定温度以下になったときにピストンバルブの弁軸を押動する機構を設けることによって凍結を防止する方法（特許文献１参照）や、通水管と吐出管との間にバイパス路を設け、気温センサにより気温を検知してこのバイパス路の通水を電気的に制御する方法（特許文献２参照）などが考えられている。
【特許文献１】特開平１１−１８２７２４号公報
【特許文献２】特開２００３−９６８６５号公報
【発明の開示】
【発明が解決しようとする課題】
【０００７】
しかしながら、形状記憶バネを使用したり、電磁弁等を利用して凍結防止用の水を電気的に通水するといった方法は、凍結防止手段としては構成が複雑になるという問題がある。また、水洗トイレで既設のものについて自動の凍結防止手段を設けるとすると、取り付け、交換操作が簡単にでき、かつ故障なく、低コストで装着できるものが望まれる。
なお、水道水の凍結防止用としては、上述した水洗トイレにおける洗浄装置に限るものではなく、手洗い等で使用する蛇口についても冬期間における凍結を防止する手段として、前述したスリーブ３２に不凍コマ３０を装着した構成を備えたものがある。これらの蛇口についても、上述した洗浄装置におけるとまったく同じ問題がある。
【０００８】
本発明は、冬期間における凍結防止が必要が洗浄装置あるいは蛇口等において、気温に応じて的確に凍結防止を図ることができ、既設の洗浄装置や蛇口についても簡単に装着でき、低コストで自動的に凍結を防止することができる凍結防止用弁装置およびこれに用いる凍結防止器具を提供することを目的とする。
【課題を解決するための手段】
【０００９】
本発明は、上記目的を達成するため次の構成を備える。
すなわち、通水圧が常時作用する１次室と、水の吐出時にのみ水圧が作用する２次室とを備えたバルブ本体に、前記１次室に連通する１次側連通流路の流路端と、前記２次室に連通する２次側連通流路の流路端とが内端面に開口するスリーブが設けられ、該スリーブ内に、気温の変化に応じて開閉弁し、前記１次側連通流路と２次側連通流路とを連通・遮断する自動不凍コマが装着され、前記１次室から前記２次室へ凍結防止用の通水を可能としたことを特徴とする。
【００１０】
また、前記スリーブ内の内端側に、前記１次側連通流路と２次側連通流路とを水密に遮断するアダプターが装着され、該アダプターに、嵌合部が設けられた自動不凍コマが、該アダブターと該嵌合部とが組み合わされて嵌合することにより、前記自動不凍コマに設けられた弁部を経由して前記１次側連通流路と前記２次側連通流路とを連通させる流路が形成されて装着されていることを特徴とする。アダプターに嵌合部を備えた自動不凍コマを組み合わせる構成としたことにより、バルブ本体やスリーブの構成が異なる洗浄装置等に取り付ける場合でも、アダプターの構成を変えるだけで、嵌合部を備えた自動不凍コマについては共通使用することが可能になる。
また、前記嵌合部が、自動不凍コマに設けられた弁体を囲むように設けられたリング状のスペーサと、スペーサの前端面に固定された接続部材とからなり、該接続部材には前記１次側連通流路に連通する貫通孔が設けられ、該貫通孔の後端側の縁部には前記弁体が当接する弁座が設けられていることを特徴とする。弁体が弁座と離間することで凍結防止用に通水され、弁体が弁座に当接することによって、凍結防止用の通水が停止される。
また、前記自動不凍コマとして、ワックスエレメントからなる温度感知部を備えているものが好適に使用できる。
【００１１】
また、通水圧が常時作用する１次室と、水の吐出時にのみ水圧が作用する２次室とを備えたバルブ本体に、前記１次室に連通する１次側連通流路の流路端と、前記２次室に連通する２次側連通流路の流路端とが内端面に開口するスリーブが設けられ、該スリーブ内に前記１次側連通流路と前記２次側連通流路との連通を手動により調節して、前記１次室から前記２次室へ凍結防止用の通水を可能とする不凍コマが装着された凍結防止用弁装置に、前記不凍コマに換えて用いられる凍結防止器具であって、気温の変化に応じて開閉弁し、前記１次側連通流路と２次側連通流路とを連通・遮断する自動不凍コマを備えることを特徴とする。
また、前記凍結防止用弁装置のスリーブの内端側に装着され、前記１次側連通流路と２次側連通流路とを水密に遮断するアダプターと、該アダプターと組み合わされて前記自動不凍コマに設けられた弁部を経由して前記１次側連通流路と前記２次側連通流路とを連通させる流路が形成される嵌合部を備えた自動不凍コマと、前記アダプターと前記嵌合部が設けられたスリーブとを組み合わせて前記スリーブに固定して装着する締め付け金具とを備えることを特徴とする。
また、前記嵌合部が、自動不凍コマに設けられた弁体を囲むように設けられたリング状のスペーサと、スペーサの前端面に固定された接続部材とからなり、接続部材には前記１次側連通流路に連通する貫通孔が設けられ、該貫通孔の後端側の縁部には前記弁体が当接する弁座が設けられていることを特徴とする。
また、前記自動不凍コマが、ワックスエレメントからなる温度感知部を備えているものが好適に使用できる。
【発明の効果】
【００１２】
本発明に係る凍結防止用弁装置によれば、バルブ本体のスリーブに自動不凍コマを装着したことにより、気温の変化に応じて１次側連通流路と２次側連通流路との連通・遮断が自動的になされ、自動不凍コマが開閉弁する温度を適宜設定することによって、好適な凍結防止作用を自動的に行うことが可能になる。また、本発明に係る凍結防止器具を用いることにより、凍結防止作用を自動的に行うことができる凍結防止手段付きの凍結防止用弁装置を容易に提供することができ、既設の洗浄装置等についても簡単に自動の凍結防止手段付きの弁装置とすることができる。
【発明を実施するための最良の形態】
【００１３】
（第１の実施の形態）
図１は本発明に係る凍結防止用弁装置の第１の実施の形態の構成を示す断面図であり、図２は凍結防止用弁装置の組立断面図を示す。
図１に示す凍結防止用弁装置は、小便器に用いられるプッシュボタン式のフラッシュバルブ１０に本発明に係る凍結防止器具を装着して凍結防止手段を備えた洗浄装置として構成されたものである。フラッシュバルブ１０は、通水圧が常時作用している１次室１８と、吐出時に水圧が作用する２次室２０とを備え、１次室１８に弁機構としてピストンバルブ２４が設けられている。
【００１４】
本実施形態の凍結防止用弁装置は、フラッシュバルブ１０のバルブ本体１２に設けられている不凍コマ取り付け用のスリーブ３２に、気温が下がると自動的に開弁する自動不凍コマ４０を取り付けたことを特徴とする。自動不凍コマ４０は、図２に示すように、変換用のアダプター５０およびシール体としてのゴムパッキン６０を介して、締め付け金具６２によりスリーブ３２に締め付け固定して装着される。
【００１５】
ゴムパッキン６０はリング状に形成され、スリーブ３２に装着した際に、１次室１８とスリーブ３２内とを連通する１次側連通流路１８ａが閉止され、スリーブ３２の内端面の略中央部で開口する１次側連通流路１８ｂ、および２次側連通流路２０ａが開放されるようにその内径寸法が設定される。本実施形態のフラッシュバルブ１０では、１次側連通流路１８ａが、２次側連通流路２０ａよりも外側に偏位していることから、１次側連通流路１８ａのみをゴムパッキン６０によって閉止するように設けたものである。
【００１６】
アダプター５０はスリーブ３２に摺入して装着できるように、スリーブ３２の内径に略一致する外径に形成される。自動不凍コマ４０の本体４２の前部に設けられた嵌合部４１は、アダプター５０の筒体部５１に内挿されるように外径が設定されている。
自動不凍コマ４０の本体４２前部側の端部には、本体４２の外周径よりもやや拡径したフランジ４３が設けられている。締め付け金具６２の内周面には、スリーブ３２の外周面に刻設されたねじ３２ａに螺合する雌ねじ６２ａが形成され、自動不凍コマ４０は締め付け金具６２にフランジ４３を係合させ、スリーブ３２に締め付け金具６２を螺合させて締め付けることによってバルブ本体１２に装着される。
【００１７】
図３に、自動不凍コマ４０をフラッシュバルブ１０のバルブ本体１２に取り付けた状態を拡大して示す。アダプター５０の筒体部５１に嵌合部４１が挿入され、フランジ４３を介して締め付け金具６２をバルブ本体１２のスリーブ３２の外周面にねじ締めすることにより、アダプター５０の端面とスリーブ３２の内端面との間でゴムパッキン６０が挟圧され、１次側連通流路１８ａが水密にシールされている。
【００１８】
アダプター５０の前端部にはスリーブ３２の内端面に向けて突出する小円筒部５２が設けられ、小円筒部５２の外周面に沿って、周方向に均等間隔で複数個の連通孔５３が設けられている。小円筒部５２は、スリーブ３２にアダプター５０を装着した状態で、２次側連通流路２０ａのスリーブ３２の内端面における開口位置と連通孔５３の開口位置とが一致するように外径寸法が設定され、また１次側連通流路１８ｂが小円筒部５２内に位置するように内径寸法が設定されている。
小円筒部５２の前端側の内周面には係止突起５４が周設され、係止突起５４と小円筒部５２とによって形成される段差部分に、１次側連通流路１８ｂを内側領域内に配置して２次側連通流路２０ａから水密にシールするためのＯリング５６が装着されている。
【００１９】
自動不凍コマ４０に設けられる嵌合部４１は、自動不凍コマ４０に設けられている弁体４４の周囲を囲むように設けられたリング状のスペーサ４５と、スペーサ４５の前端面にスペーサ４５にねじ止めして固定された接続部材４６とからなる。
接続部材４６の前端部には、アダプター５０の小円筒部５２に設けられている係止突起５４によって包囲された嵌合孔５５内に摺入する嵌合凸部４７が設けられている。嵌合凸部４７には軸線方向に貫通する貫通孔４７ａが設けられ、貫通孔４７ａの後端側の縁部には弁体４４の端面に設けられているゴム弁４４ａに当接する弁座４８が設けられている。
【００２０】
また、嵌合凸部４７の外周にはアダプター５０の小円筒部５２の内周面との間に介装されるシール体としてのＯリング４９が装着されている。接続部材４６の外周側には段差４６ａが形成され、アダプター５０の嵌合孔５５に嵌合凸部４７を挿入して、アダプター５０の筒体部５１の内端面に接続部材４６を当接した状態で、筒体部５１の内端面と段差４６ａとの間に水の流通スペースが確保される。６４はフランジ４３に隣接して配置されたＯリングである。Ｏリング６４はアダプター５０の筒体部５１の内周面に摺接して筒体部５１の内側領域を水密にシールする。
【００２１】
自動不凍コマ４０には、気温あるいは水温を感知するワックスエレメントからなる温度感知部と、この温度感知部に取り付けられて伸縮するピストンと、ピストンが伸張した状態で弁体４４を弁座４８に当接する向きに押圧する弾発バネと、ピストンが収縮した状態で弁体４４を弁座４８から離間する向きに移動させる収縮バネが設けられている。これらの構成により、自動不凍コマ４０は、周囲の温度が一定温度以下になると、弁体４４が弁座４８から離間し、一定温度以上になると弁体４４が弁座４８に押接するように作用する。
本実施形態において使用している自動不凍コマは、温度が１．５℃程度以下になると開弁し、４．５℃程度になると閉弁するように設定されているものである。
【００２２】
次に、この自動不凍コマ４０をフラッシュバルブ１０に装着した洗浄装置による凍結防止作用について説明する。
図１、３は気温が高く、自動不凍コマ４０の弁体４４が接続部材４６弁座４８に当接している状態である。この状態では、バルブ本体１２の１次室１８から貫通孔４７ａに供給される水が弁体４４によって閉止され、１次室１８から２次室２０へバイパス路を介しては水は流れない。すなわち、弁体４４が弁座４８に当接することにより、１次側連通流路１８ｂを介して１次室１８からスリーブ３２に供給された水は、Ｏリング５６によりスリーブ３２の内端面と小円筒部５２の内周面との間が水密にシールされ、Ｏリング４９により嵌合凸部４７の外周面と小円筒部５２の内周面との間が水密にシールされることにより、１次側連通流路１８ｂから供給される水は、嵌合凸部４７の貫通孔４７ａまで満たされるのみで、１次室１８から２次室２０へ水が流れることはない。
【００２３】
一方、気温が徐々に低下し、自動不凍コマ４０の弁体４４が弁座４８から離間するようになると、貫通孔４７ａまで満たされていた水は、貫通孔４７ａからスペーサ４５内に流入する。スペーサ４５は外周面の一部が切り欠き形状に形成され、切り欠き部に軸線方向に垂直にスペーサ４５内に連通する連絡路（不図示）が設けられている。接続部材４６に設けられている段差４６ａは周方向に一周するように設けられているから、スペーサ４５に設けられている連絡路と段差４６ａによって形成される空間とが連通し、スペーサ４５から段差４６ａに水が流入し、アダプター５０に設けられた連通孔５３を介して２次側連通流路２０ａに水が流出する。
すなわち、自動不凍コマ４０の弁体４４が弁座４８から離間すると１次側連通流路１８ｂから２次側連通流路２０ａに向けてバイバス路を介して水が流れるようになる。
【００２４】
なお、１次側連通流路１８ｂから２次側連通流路２０ａに流れる凍結防止用の水の量は、弁体４４と弁座４８との離間量によって変動する。自動不凍コマ４０を気温がより低くなった際には、弁体４４と弁座４８との離間量が大きくなるように設定して、より多く凍結防止水が流れるようにすることで、より的確な凍結防止作用をなすことができる。
【００２５】
こうして、自動不凍コマ４０の作用により、気温が一定温度以下（本実施形態では１．５℃以下）になると、１次側連通流路１８ｂから２次側連通流路２０ａに水が流れて凍結防止作用がなされ、気温が一定温度以上（本実施形態では４．５℃以上）になると自動不凍コマ４０が閉弁して凍結防止用の水の流出が停止される。
このように、本実施形態の凍結防止用弁装置によれば、気温の変化に応じて自動的に凍結防止用の水の供給と遮断がなされ、寒冷時期に合わせて不凍コマを調節するといった操作を行うことなく、的確な凍結防止作用がなされて凍結防止用弁装置内で水が凍結して水が流れなくなったり、弁装置が壊れるといった問題を解消することが可能になる。
【００２６】
（第２の実施の形態）
図４は本発明に係る凍結防止用弁装置の第２の実施の形態の構成を示す断面図である。本実施形態の凍結防止用弁装置は、大便器用のフラッシュバルブ１１に凍結防止用器具を装着して凍結防止手段を備えた弁装置として構成した例を示す。
図９は、従来の大便器用として設けられているフラッシュバルブ１１の構成例を示す。フラッシュバルブ１１はハンドル１５の操作により、バルブ本体１２に配置された弁機構が開弁し、一定量の洗浄水が吐出管１４から吐出される。図１０は、このフラッシュバルブ１１に凍結防止用の不凍コマ３０が装着された例を示す。図７、８に示すフラッシュバルブ１０と同様に、バルブ本体１２に設けられたスリーブ３２に不凍コマ３０が装着され、不凍コマ３０を調節することによって１次室１８から２次室２０へ凍結防止水を流して凍結防止するように構成されている。
【００２７】
本実施形態の凍結防止用弁装置は、上述した第１の実施形態の凍結防止用弁装置と同様に、バルブ本体１２に設けたスリーブ３２にアダプター７０を介して自動不凍コマ４０を装着することによって構成される。
図５に、本実施形態の凍結防止用弁装置で使用している凍結防止器具の構成を拡大して示す。本実施形態の凍結防止用弁装置の場合は、第１の実施の形態で使用しているアダプター５０とは異なる形態のアダプター７０を使用する。これは、第１の実施の形態においては、スリーブ３２の内端面で開口する１次側連通流路１８ａが２次側連通流路２０ａよりも外側に位置しているのに対して、本実施形態においては１次側連通流路１８ａ、１８ｂがスリーブ３２の内端面の中央部近傍で開口し、２次側連通流路２０ａがスリーブ３２の内端面の外側で開口する配置となっていることによる。
【００２８】
図５に示すように、アダプター７０には、自動不凍コマ４０に設けられる嵌合部４１が挿入される筒体部７１の前部に、嵌合部４１の嵌合凸部４７が挿入される嵌合孔７３が設けられた隔壁７２が形成されている。隔壁７２と筒体部７１および係止部７４との間に形成される段差部分にＯリング７５が装着され、Ｏリング７５の外側領域で筒体部７１の内縁に沿った位置に、周方向に所定間隔に複数の連通孔７６が、隔壁７２を厚さ方向に貫通して設けられている。
また、筒体部７１の基部（開口側）にはスリーブ３２の外端面に当接するフランジ部７７が周設され、フランジ部７７の基部位置の筒体部７１の外周面にＯリング７８が装着されている。
なお、自動不凍コマ４０および締め付け金具６２の構成は第１の実施の形態における自動不凍コマ４０および締め付け金具６２と同一であるので説明を省略する。
【００２９】
図６は、自動不凍コマ４０をアダプター７０を介してフラッシュバルブ１１に取り付けた状態を示す。Ｏリング７５がスリーブ３２の内端面に当接し、スリーブ３２の内端面で開口する１次側連通流路１８ａ、１８ｂがＯリング７５によって囲まれた内側領域で開口し、Ｏリング７５の外側に位置する２次側連通流路２０ａと１次側連通流路１８ａ、１８ｂとが水密にシールして分離される。
自動不凍コマ４０は、隔壁７２に設けられた嵌合孔７３に嵌合凸部４７が挿入され、筒体部７１に設けたフランジ部７７にフランジ４３が当接して締め付け金具６２によりスリーブ３２に締め付け固定される。筒体部７１の外周面とスリーブ３２との間がＯリング７８によってシールされ、隔壁７２と接続部材４６との間がＯリング４９によってシールされ、筒体部７１の内周面がＯリング６４によってシールされる。
【００３０】
本実施形態の凍結防止用弁装置による作用も上述した第１の実施の形態における凍結防止用弁装置と同様であり、気温が高く自動不凍コマ４０の弁体４４が接続部材４６の弁座４８に当接している際には、１次側連通流路１８ａ、１８ｂを介して１次室１８からスリーブ３２に供給される水は、嵌合凸部４７の貫通孔４７ａを満たす状態で閉止され、２次側連通流路２０ａへの通流が停止される。また、気温が低下して自動不凍コマ４０の弁体４４が弁座４８から離間するようになると、１次側連通流路１８ａ、１８ｂから供給される水は、貫通孔４７ａからスペーサ４５内に流入し、スペーサ４５に設けられている連絡路から隔壁７２と接続部材４６の端面間に進入して、連通孔７６から２次側連通流路２０ａを介して２次室２０に流出する。
【００３１】
こうして、自動不凍コマ４０を装着したフラッシュバルブ１１においても、上述した第１の実施の形態の凍結防止用弁装置の場合と同様に、気温に応じて自動不凍コマ４０が開閉弁する作用を利用することにより、気温によって凍結防止用の水を１次室１８から２次室２０へ流すように制御することができ、気温に応じた凍結防止作用がなされるフラッシュバルブ１１として提供することができる。これによって、従来のような不凍コマ３０を調節する必要がなく、簡便でかつ的確な凍結防止手段を備えたフラッシュバルブ１１として提供することが可能となる。
【００３２】
なお、上述したように、本発明に係る自動不凍コマ４０を用いた凍結防止器具は、凍結防止用の不凍コマ３０が装着可能に形成されているフラッシュバルブであれば、不凍コマ３０に換えて装着することができるから、既設の洗浄装置等であっても不凍コマ３０を凍結防止器具に交換することによって、簡単に自動不凍コマ４０が装着された凍結防止手段付きの洗浄装置に変換することができる。
【００３３】
上述した第１、第２の実施形態で示したように、フラッシュバルブの構造は、機種により、あるいはメーカーにより、１次側連通流路と２次側連通流路の配置が異なったり、スリーブ３２の径寸法が異なったりするから、凍結防止器具の構造はすべて同一になるとは限らない。本発明に係る凍結防止器具は、機種等によってスリーブ３２の構造等がさまざまである洗浄装置に対して自動不凍コマ４０については共通に使用できるようにするために、アダプター５０、７０と自動不凍コマ４０を組み合わせてフラッシュバルブに装着する構成としている。自動不凍コマ４０にはアダプター５０、７０に嵌合する嵌合部４１を設けることにより、機種等によって異なる構成上の相違についてはアダプター５０、７０の構造を変えることにより、自動不凍コマ４０については同一形態のまま使用することが可能になる。
【００３４】
自動不凍コマ４０は、気温を感知するためのワックスエレメントを内蔵しており、機種等によってその構造を変えることは効率的でない。本発明に係る凍結防止器具のようにアダプターと自動不凍コマ４０とを組み合わせる構成とした場合は、製品に合わせてアダプターを製作するだけで済ませることができ、自動不凍コマ４０については量産できることから、全体としての製造コストを安くすることが可能になる。また、既設の洗浄装置等に自動不凍コマを備えた凍結防止手段付きの洗浄装置とすることが容易に可能になる。また、自動不凍コマ４０を使用することで、たとえば凍結防止用の水を電磁弁で制御するといった方法にくらべてはるかに簡便な構成とすることができる。
【００３５】
なお、上記説明においては、本発明を水洗トイレの洗浄装置等に付設して凍結防止作用を有する弁装置として構成した例について説明したが、本発明は水洗トイレ等の弁装置に利用する他に、通常の蛇口で凍結防止用の不凍コマを装着している製品についても同様に適用することが可能であり、また、一般に、通水圧が常時作用する１次室と、水の吐出時にのみ水圧が作用する２次室を備えた装置において、寒冷時に１次室から２次室へ凍結防止用の水を通水させて凍結防止用として利用する場合にも同様に適用することができる。また、凍結防止用弁装置はプッシュボタンやハンドルを用いた手動式の洗浄装置に限らず、使用者を検知して自動的に洗浄水を吐出させるように構成されている洗浄装置についても、同様に適用することが可能である。
【図面の簡単な説明】
【００３６】
【図１】本発明に係る凍結防止用弁装置の第１の実施の形態の構成を示す断面図である。
【図２】凍結防止用弁装置の第１の実施の形態の構成を示す組み立て断面図である。
【図３】凍結防止用弁装置の第１の実施の形態における自動不凍コマの取付部の構成を示す断面図である。
【図４】本発明に係る凍結防止用弁装置の第２の実施の形態の構成を示す断面図である。
【図５】凍結防止用弁装置の第２の実施の形態に用いる凍結防止器具の組立断面図である。
【図６】凍結防止用弁装置の第２の実施の形態における自動不凍コマの取付部の構成を示す断面図である。
【図７】小便器用の洗浄装置の従来の構成を示す正面図である。
【図８】小便器用の洗浄装置で不凍コマを設けた構成を示す断面図である。
【図９】大便器用の洗浄装置の従来の構成を示す正面図である。
【図１０】大便器用の洗浄装置で不凍コマを設けた構成を示す断面図である。
【符号の説明】
【００３７】
１０、１１  フラッシュバルブ
１２  バルブ本体
１４  吐出管
１５  ハンドル
１８  １次室
１８ａ、１８ｂ  １次側連通流路
２０  ２次室
２０ａ  ２次側連通流路
３０  不凍コマ
３２  スリーブ
４０  自動不凍コマ
４１  嵌合部
４４  弁体
４４ａ  ゴム弁
４５  スペーサ
４６  接続部材
４７  嵌合凸部
４７ａ  貫通孔
４８  弁座
４９、５６、６４、７５、７８  Ｏリング
５０、７０  アダプター
５１、７１  筒体部
５２  小円筒部
５３、７６  連通孔
６０  ゴムパッキン
６２  締め付け金具
７２  隔壁
【図１】
2006125062.tif 000003
【図２】
2006125062.tif 000004
【図３】
2006125062.tif 000005
【図４】
2006125062.tif 000006
【図５】
2006125062.tif 000007
【図６】
2006125062.tif 000008
【図７】
2006125062.tif 000009
【図８】
2006125062.tif 000010
【図９】
2006125062.tif 000011
【図１０】
2006125062.tif 000012